(57)【要約】【課題】最初に取付けた把持具の電線からの離脱を防止することができる張線器の提供【解決手段】この発明の張線器は、引張りレバ−６の先端部に、バネ力によって、本体１の固定軸２と引張りレバ−６との間の空間部７に嵌入・離脱が可能な三角形状の楔８を設置した構成になっており、三角形状の楔８を本体１の固定軸２と引張りレバ−６との間の空間部７に嵌入させ、クランプレバ−３の動きを拘束させているので、把持具の電線からの離脱を防止することができる。【選択図】  図４
2004357407.tif 000002
【特許請求の範囲】
【請求項１】
本体（１）に間隔をおいて同一水平レベルに設けた固定軸（２）に枢着し、平行に傾斜した二本の同一長のクランプレバ−（３）の上端に前記本体（１）の受け部（４）と常時適宜な間隔を有するように電線押さえ金具（５）を緩装し、前記クランクレバ−（３）の下端を引張りレバ−（６）に緩装してなる張線器において、前記引張りレバ−（６）の先端部に、バネ力によって、前記本体（１）の固定軸（２）と前記引張りレバ−（６）との間の空間部（７）に嵌入・離脱が可能な三角形状の楔（８）を設置していることを特徴とする張線器
【発明の詳細な説明】
【０００１】
【発明の属する技術分野】
この発明は無停電工事などの活線下での電気工事において、電線の振り分け作業等を行う場合に電線を間隔をおいて二カ所で把持しておくための張線器に関するものである。
【０００２】
【従来の技術】
従来、張線器としては種々の構造のものが実用化されている（例えば、特許文献１又は特許文献２）。
張線器を電線に装着する場合には、伸縮可能な絶縁棒の両端に取付けられている把持具の一方を、まず電線に固定させたのち、次に他方の把持具を、前記把持具から離れた位置で電線に固定させ、ついで絶縁棒を縮めて、緊張させるという作業が行われる。
【０００３】
しかし、最後の把持具の取付中の振動などによって、最初の把持具の可動部材が若干ずれて、電線への固定が不確実になることがある。把持間隔が短いときには、再度、固定状態を確認することは簡単であるが、間隔が長くなると、最後の把持具の取付位置から目視でチェックし、大丈夫と思っても、作業中に、把持具が電線から離脱する等の不具合が生じるおそれがある。
【０００４】
【特許文献１】実公平７−３６４１６号公報
【特許文献２】特開平１１−４５１１号公報
【０００５】
【発明が解決しようとする課題】
この発明は、従来の技術で記述した不具合を解消するためになされたもので、最初に取付けた把持具の電線からの離脱を防止することができる張線器の提供を目的とするものである。
【０００６】
【課題を解決するための手段】
この発明の張線器は、本体に間隔をおいて同一水平レベルに設けた固定軸に枢着し、平行に傾斜した二本の同一長のクランプレバ−の上端に前記本体の受け部と常時適宜な間隔を有するように電線押さえ金具を緩装し、前記クランクレバ−の下端を引張りレバ−に緩装してなる張線器において、前記引張りレバ−の先端部に、バネ力によって、前記本体の固定軸と前記引張りレバ−との間の空間部に嵌入・離脱が可能な三角形状の楔を設置ていることを特徴とするものである。
【０００７】
【発明の実施の形態】
この発明の実施の形態の一例を図面を参照しながら説明する。図１に示すように、本体１に間隔をおいて同一水平レベルに設けた固定軸２に枢着し、平行に傾斜した二本の同一長のクランプレバ−３の上端に本体１の受け部４と常時適宜な間隔を有するように電線押さえ金具５を緩装し、クランクレバ−３の下端を引張りレバ−６に緩装してなる張線器において、引張りレバ−６の先端部に、図２に示すように、本体１の固定軸２と引張りレバ−６との間に形成される空間部７に、バネ力によって、嵌入・離脱が可能な三角形状の楔８を設置している。
【０００８】
図３は、張りレバ−６の先端部に、三角形状の楔８を設置した一実施例を示す側面図で、水平方向にスライド溝９を設け、引張りレバ−６の先端部に固定される基盤１０の先端部に、後端部にバネ掛け突起１１を設けた略ヘの字状のレバ−１２の先端部を、略ヘの字状のレバ−１２を反時計方向に回転させたとき、略ヘの字状のレバ−１２の短辺ａがほぼ水平になる位置まで回動可能で、略ヘの字状のレバ−１２を時計方向に回転させたとき、略ヘの字状のレバ−１２を所定角度だけ回動可能に取付けている。
【０００９】
後端部にバネ掛け突起１１’とバネ掛け突起１１’から水平方向に適宜間隔をおいてガイドピン１３を設けた三角形状の楔８のバネ掛け突起１１’とガイドピン１３を基盤１０のスライド溝９中に前後動可能に装着している。
【００１０】
図３に示すように、略ヘの字状のレバ−１２の短辺ａをほぼ水平になる位置まで反時計方向に回転させた状態で、略ヘの字状のレバ−１２のバネ掛け突起１１と三角形状の楔８のバネ掛け突起１１’に、バネ１４を緊張させて装着している。
【００１１】
したがって、この状態では、図３に示すように、バネ１４のバネ力によって、三角形状の楔８のバネ掛け突起１１’が引き戻されて、基盤１０のスライド溝９の端まで後退し、三角形状の楔８は本体１の固定軸２と引張りレバ−６間の空間部７から離脱している。
【００１２】
ついで、本体１の受け部４と電線押さえ金具５との間に電線１５を把持させた状態において、図４に示すように、略ヘの字状のレバ−１２を時計方向に回転させると、バネ１４のバネ力によって、三角形状の楔８のバネ掛け突起１１’が基盤１０のスライド溝９中を前進し、三角形状の楔８を本体１の固定軸２と引張りレバ−６との間の空間部７に嵌入させ、クランプレバ−３の動きを拘束する。
【００１３】
したがって、電線１５は、三角形状の楔８が除去されないかぎり、本体１の受け部４と電線押さえ金具５との間に把持された状態を維持する。
【００１４】
なお、三角形状の楔８は、伸縮可能な絶縁棒の両端に取付けられているの把持具のいずれか一方の引張りレバ−６にだけ設置しておけばよく、作業者は、まず最初に三角形状の楔８が設置されている方の把持具で電線を把持し、三角形状の楔８を本体１の固定軸２と引張りレバ−６との間の空間部７に嵌入させてクランプレバ−３の動きを拘束したのち、次に離れた位置にあり、三角形状の楔８が設置されていない方の把持具の方へ移動し、この把持具で電線を把持させ、絶縁棒を縮めるという手順で作業を進めるのである。
【００１５】
【発明の効果】
この発明は上述のように構成され、バネ力によって、三角形状の楔８を本体１の固定軸２と引張りレバ−６との間の空間部７に嵌入させ、クランプレバ−３の動きを拘束させているので、把持具が電線から離脱するという不具合を防止できる。
【図面の簡単な説明】
【図１】三角形状の楔を設置する前の把持具の側面図
【図２】図１における右側面図
【図３】三角形状の楔を設置した把持具の側面図
【図４】図３において、三角形状の楔を本体の固定軸と引張りレバ−との間の空間部に嵌入させ状態を示す側面図
【符号の説明】
１  本体
２  固定軸
３  クランクレバ−
４  本体の受け部
５  電線押さえ金具
６  引張りレバ−
７  本体の固定軸と引張りレバ−との間の空間部
８  三角形状の楔
９  スライド溝
１０基盤
１１，１１’バネ掛け突起
１２  略ヘの字状のレバ−
１３  ガイドピン
１４  バネ
１５  電線
ａ  略ヘの字状のレバ−の短辺
【図１】
2004357407.tif 000003
【図２】
2004357407.tif 000004
【図３】
2004357407.tif 000005
【図４】
2004357407.tif 000006
【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
本体（１）に間隔をおいて同一水平レベルに設けた固定軸（２）に枢着し、平行に傾斜した二本の同一長のクランプレバ−（３）の上端に前記本体（１）の受け部（４）と常時適宜な間隔を有するように電線押さえ金具（５）を緩装し、前記クランクレバ−（３）の下端を引張りレバ−（６）に緩装してなる張線器において、前記引張りレバ−（６）の先端部に、水平方向にスライド溝（９）を設けた基盤（１０）を固定し、該基盤（１０）の先端部に、後端部にバネ掛け突起（１１）を設けた略ヘの字状のレバ−（１２）の先端部を、該略ヘの字状のレバ−（１２）を反時計方向に回転させたとき、該略ヘの字状のレバ−（１２）の短辺（ａ）がほぼ水平になる位置まで回動可能で、該略ヘの字状のレバ−（１２）を時計方向に回転させたとき、該略ヘの字状のレバ−（１２）を所定角度だけ回動可能に取付け、後端部にバネ掛け突起（１１’）と該バネ掛け突起（１１’）から水平方向に適宜間隔をおいてガイドピン（１３）を突設した三角形状の楔（８）を、該三角形状の楔（８）のバネ掛け突起（１１’）とガイドピン（１３）が前記基盤（１０）のスライド溝（９）中を前後動可能になるように前記基盤（１０）に装着し、前記略ヘの字状のレバ−（１２）の短辺（ａ）をほぼ水平になる位置まで半時計方向に回転させた状態で、該略ヘの字状のレバ−（１２）のバネ掛け突起（１１）と前記三角形状の楔（８）のバネ掛け突起（１１’）に、バネ（１４）を緊張させて装着し、該バネ（１４）のバネ力によって、前記三角形状の楔（８）のバネ掛け突起（１１’）を前記基盤（１０）のスライド溝（９）中を後退させることにより、前記三角形状の楔（８）を前記本体（１）の固定軸（２）と前記引張りレバ−（６）との間の空間部（７）から離脱させ、前記本体（１）の受け部（４）と前記電線押さえ金具（５）との間に電線（１５）を把持させた状態において、前記略ヘの字状のレバ−（１２）を時計方向に回転させると、前記バネ（１４）のバネ力によって、前記三角形状の楔（８）のバネ掛け突起（１１’）を前記基盤（１０）のスライド溝（９）中を前進させ、前記三角形状の楔（８）を前記本体（１）の固定軸（２）と前記引張りレバ−（６）との間の空間部（７）に嵌入させるように構成していることを特徴とする張線器